(57)【要約】【課題】室内機受電方式および室外機受電方式に両対応し、室内機受電方式においては、室外機への給電を停止することにより待機電力の削減を実現可能な空気調和機を得ること。【解決手段】室内機受電方式にて運用する際には、商用電源が接続され、室外機受電方式にて運用する際には、室外機を介して商用電源が入力されるＬ端子２４およびＮ端子２５と、室内機受電方式にて運用する際に、リレー１１を介して商用電源１２を室外機２に供給するＳ１端子２１およびＳ２端子２２とを室内機１に具備し、室内機受電方式にて運用する際には、室内機１を介して商用電源１２が入力され、室外機受電方式にて運用する際には、商用電源１２が接続されるＬ１端子２６およびＮ１端子２７と、室外機受電方式にて運用する際に、商用電源１２を室内機１に供給するＬ２端子２９およびＮ２端子３０を室外機２に具備する構成とした。【選択図】図１
2014122731.tif 000002
【特許請求の範囲】
【請求項１】
室内機および室外機を具備し、前記室内機から前記室外機への商用電源の供給を遮断可能とするリレーを前記室内機側に有する空気調和機であって、
前記室内機は、
前記室内機に供給された前記商用電源を前記室外機に供給する室内機受電方式にて運用する際には、前記商用電源が接続され、前記室外機に供給された前記商用電源を前記室内機に供給する室外機受電方式にて運用する際には、前記室外機を介して前記商用電源が供給される１組の商用電源入力端子対と、
前記室内機受電方式にて運用する際に、前記商用電源入力端子対に接続された前記商用電源を、前記リレーを介して前記室外機に供給する１組の商用電源出力端子対と、
を備える
ことを特徴とする空気調和機。
【請求項２】
前記室外機は、
前記室内機受電方式にて運用する際には、前記室内機から供給された前記商用電源が供給され、前記室外機受電方式にて運用する際には、前記商用電源が接続される１組の商用電源入力端子対と、
前記室外機受電方式にて運用する際に、前記商用電源入力端子対に接続された前記商用電源を前記室内機に供給する１組の商用電源出力端子対と、
を備える
ことを特徴とする請求項１に記載の空気調和機。
【請求項３】
室内機および室外機を具備し、前記室内機から前記室外機への商用電源の供給を遮断可能とするリレーを前記室内機側に有する空気調和機であって、
前記室内機は、
１組の商用電源入力端子対と、
前記リレーを介して前記商用電源を前記室外機に供給する１組の商用電源出力端子対と、
を備え、
前記室外機は、
１組の商用電源入力端子対と、
前記商用電源を前記室内機に供給する１組の商用電源出力端子対と、
を備え、
前記室内機側の商用電源入力端子対に前記商用電源を接続し、前記室内機側の商用電源出力端子対と前記室外機側の商用電源入力端子対とを接続することにより、前記室内機に供給された前記商用電源を前記室外機に供給する室内機受電方式に対応し、
前記室外機側の商用電源入力端子対に前記商用電源を接続し、前記室外機側の商用電源出力端子対と前記室内機側の商用電源入力端子対とを接続することにより、前記室外機に供給された前記商用電源を前記室内機に供給する室外機受電方式に対応する
ことを特徴とする空気調和機。
【請求項４】
前記室内機は、
前記室内機側の電源制御を行う室内機側電源制御回路と、
前記室外機との間で通信ループを形成する室内機側通信回路と、
前記室内機側の商用電源出力端子対の一方の端子であり、前記リレーを介して前記室内機側電源制御回路の非接地側電源入力端子に接続される第１の端子と、
前記室内機側の商用電源出力端子対の他方の端子であり、前記室内機側電源制御回路の接地側電源入力端子に接続される第２の端子と、
前記室内機側通信回路を介して前記室内機側電源制御回路の接地側電源入力端子に接続される第３の端子と、
前記室内機側の商用電源入力端子対の一方の端子であり、前記室内機側電源制御回路の非接地側電源入力端子に接続される第４の端子と、
前記室内機側の商用電源入力端子対の他方の端子であり、前記第２の端子に接続される第５の端子と、
を備え、
前記室外機は、
前記室外機側の電源制御を行う室外機側電源制御回路と、
前記室外機との間で通信ループを形成する室外機側通信回路と、
前記室外機側の商用電源入力端子対の一方の端子であり、前記室外機側電源制御回路の非接地側電源入力端子に接続される第６の端子と、
前記室外機側の商用電源入力端子対の他方の端子であり、前記室外機側電源制御回路の接地側電源入力端子に接続される第７の端子と、
前記室外機側通信回路を介して前記室外機側電源制御回路の接地側電源入力端子に接続される第８の端子と、
前記室外機側の商用電源出力端子対の一方の端子であり、前記第６の端子に接続される第９の端子と、
前記室外機側の商用電源出力端子対の他方の端子であり、前記第２の端子に接続される第１０の端子と、
を備え、
前記室内機受電方式において、
前記第４の端子と前記第５の端子との間に前記商用電源が接続され、
前記第１の端子と前記第６の端子との間が電源線で接続され、
前記第２の端子と前記第７の端子との間が電源通信共通線で接続され、
前記第３の端子と前記第８の端子との間が通信線で接続され、
前記室外機受電方式において、
前記第６の端子と前記第７の端子との間に前記商用電源が接続され、
前記第４の端子と前記第９の端子との間が前記電源線で接続され、
前記第５の端子と前記第６の端子との間が前記電源通信共通線で接続され、
前記第３の端子と前記第８の端子との間が通信線で接続される
ことを特徴とする請求項２または３に記載の空気調和機。
【請求項５】
前記室内機側通信回路、前記室外機側通信回路、前記電源通信共通線、および前記通信線により前記通信ループが形成され、前記室内機側通信回路と前記室外機側通信回路との間で通信が確立することにより、前記室内機受電方式あるいは前記室外機受電方式による運転を行うことを特徴とする請求項４に記載の空気調和機。
【請求項６】
前記室内機側電源制御回路は、前記室内機受電方式において、前記室外機への前記商用電源の給電を開始してから所定時間内に前記通信ループが形成されず、前記室内機側通信回路と前記室外機側通信回路との間で通信が確立しなかった場合に、前記リレーを開放して前記室外機への前記商用電源の給電を停止することを特徴とする請求項５に記載の空気調和機。
【請求項７】
前記室外機側電源制御回路は、前記室外機受電方式において、前記室内機への前記商用電源の給電を開始してから所定時間内に前記通信ループが形成されず、前記室内機側通信回路と前記室外機側通信回路との間で通信が確立しなかった場合に、前記室内機側電源制御回路からの運転開始要求を拒否する処理を行うことを特徴とする請求項５に記載の空気調和機。
【請求項８】
前記第１乃至第３の端子と前記第４乃至第５の端子とが明示的に区別して配置されたことを特徴とする請求項４〜７のいずれか一項に記載の空気調和機。
【請求項９】
前記第１乃至第５の端子を配置する室内機側端子台に、前記第２の端子と前記室内機側電源制御回路の接地側電源入力端子との間に直列接続された温度ヒューズを配置したことを特徴とする請求項４〜８のいずれか一項に記載の空気調和機。
【発明の詳細な説明】
【技術分野】
【０００１】
本発明は、空気調和機に関する。
【背景技術】
【０００２】
従来の空気調和機においては、例えば、「室内機に供給された電源を電源配線を介して室外機に供給し、前記室内機に基準周波数取出回路と、室内機制御部とを設けてなる空気調和機において、商用電源を前記室内機整流回路と、前記室内機制御部とに接続する一方、室外機に電源を供給する電源配線に、パワーリレーと、前記基準周波数取出回路とを接続し、待機状態時、前記パワーリレーが開放されることにより前記基準周波数取出回路が非通電状態となることを特徴とする空気調和機。」が提案されている（例えば、特許文献１参照）。
【先行技術文献】
【特許文献】
【０００３】
【特許文献１】特開２００７−２２５１２８号公報
【発明の概要】
【発明が解決しようとする課題】
【０００４】
上記特許文献１に代表される従来の空気調和機は、室内機に供給された商用電源を、電源配線を介して室外機に供給する方式（以下、「室内機受電方式」という）であり、運転待機時の待機電力削減を目的として、パワーリレーを電源配線に接続し、運転待機時はパワーリレーを開放することで室外機への給電を停止することにより、待機電力の削減を実現している。
【０００５】
しかしながら、上記従来技術の構成では、室外機を室外機側で商用電源を受電して室内機に供給する方式（以下、「室外機受電方式」という）に対応した室外機に変更し、室内機受電方式同様、電源配線を介して室内機受電方式に対応した室内機に電源を供給しようとしても、室内機に備えられたパワーリレーにより室内機への給電が妨げられ、室内機の運転を行うことができない。このため、パワーリレーがなく、室外機から電源配線を介して室内機側電源制御回路に商用電源が接続される構成の室内機に変更する必要がある。この場合には、室内機受電方式および室外機受電方式の双方に対応可能となるが、室内機受電方式で使用する場合でも、運転待機時に室外機への給電を停止することができず、待機電力の削減を実現することができない、という問題があった。
【０００６】
本発明は、上記に鑑みてなされたものであって、室内機受電方式および室外機受電方式に両対応し、室内機受電方式においては、室外機への給電を停止することにより待機電力の削減を実現可能な空気調和機を提供することを目的とする。
【課題を解決するための手段】
【０００７】
上述した課題を解決し、目的を達成するため、本発明にかかる空気調和機は、室内機および室外機を具備し、前記室内機から前記室外機への商用電源の供給を遮断可能とするリレーを前記室内機側に有する空気調和機であって、前記室内機は、前記室内機に供給された前記商用電源を前記室外機に供給する室内機受電方式にて運用する際には、前記商用電源が接続され、前記室外機に供給された前記商用電源を前記室内機に供給する室外機受電方式にて運用する際には、前記室外機を介して前記商用電源が供給される１組の商用電源入力端子対と、前記室内機受電方式にて運用する際に、前記商用電源入力端子対に接続された前記商用電源を、前記リレーを介して前記室外機に供給する１組の商用電源出力端子対と、を備えることを特徴とする。
【発明の効果】
【０００８】
本発明によれば、室内機受電方式および室外機受電方式に両対応し、室内機受電方式においては、室外機への給電を停止することにより待機電力の削減を実現することができる、という効果を奏する。
【図面の簡単な説明】
【０００９】
【図１】図１は、実施の形態１にかかる空気調和機の一構成例における室内機受電方式の配線例を示す図である。
【図２】図２は、実施の形態１にかかる空気調和機の一構成例における室外機受電方式の配線例を示す図である。
【図３】図３は、実施の形態１にかかる空気調和機の室内機側端子台のケーブル差込口正面視図である。
【図４】図４は、実施の形態１にかかる空気調和機の室内機受電方式における室内機への受電開始時における制御処理フローの一例を示す図である。
【図５】図５は、実施の形態１にかかる空気調和機の室内機受電方式における室内機と室外機との間の誤配線例の第１例を示す図である。
【図６】図６は、実施の形態１にかかる空気調和機の室内機受電方式における室内機と室外機との間の誤配線例の第２例を示す図である。
【図７】図７は、実施の形態１にかかる空気調和機の室内機受電方式における室内機と室外機との間の誤配線例の第３例を示す図である。
【図８】図８は、実施の形態１にかかる空気調和機の室内機受電方式における室内機と室外機との間の誤配線例の第４例を示す図である。
【図９】図９は、実施の形態１にかかる空気調和機の室内機受電方式における室内機と室外機との間の誤配線例の第５例を示す図である。
【図１０】図１０は、実施の形態１にかかる空気調和機の室外機受電方式における室外機への受電開始時における制御処理フローの一例を示す図である。
【図１１】図１１は、実施の形態１にかかる空気調和機の室外機受電方式における室内機と室外機との間の誤配線例の第１例を示す図である。
【図１２】図１２は、実施の形態１にかかる空気調和機の室外機受電方式における室内機と室外機との間の誤配線例の第２例を示す図である。
【図１３】図１３は、実施の形態１にかかる空気調和機の室外機受電方式における室内機と室外機との間の誤配線例の第３例を示す図である。
【図１４】図１４は、実施の形態１にかかる空気調和機の室外機受電方式における室内機と室外機との間の誤配線例の第４例を示す図である。
【図１５】図１５は、実施の形態１にかかる空気調和機の室外機受電方式における室内機と室外機との間の誤配線例の第５例を示す図である。
【図１６】図１６は、実施の形態１にかかる空気調和機の室外機受電方式における室内機と室外機との間の誤配線例の第６例を示す図である。
【図１７】図１７は、実施の形態２にかかる空気調和機の室内機側の一構成例を示す図である。
【図１８】図１８は、実施の形態２にかかる空気調和機の室内機側端子台の一例を示す図である。
【発明を実施するための形態】
【００１０】
以下に添付図面を参照し、本発明の実施の形態にかかる空気調和機について説明する。なお、以下に示す実施の形態により本発明が限定されるものではない。
【００１１】
実施の形態１．
図１は、実施の形態１にかかる空気調和機の一構成例における室内機受電方式の配線例を示す図である。また、図２は、実施の形態１にかかる空気調和機の一構成例における室外機受電方式の配線例を示す図である。図１、図２に示すように、実施の形態１にかかる空気調和機は、室内機１および室外機２を備えている。
【００１２】
室内機１は、室内機側制御基板３および室内機側端子台５を備え、室内機側制御基板３は、室内機側電源制御回路７、室内機側通信回路９、およびパワーリレー（以下、単に「リレー」という）１１を備えている。なお、リレー１１は、室内機受電方式にて運用する際に、運転待機時において室外機２への商用電源１２の供給を停止する機能を有している。
【００１３】
また、室内機側端子台５は、リレー１１を介して室内機側電源制御回路７の非接地側電源入力端子に接続されるＳ１端子（第１の端子）２１と、室内機側電源制御回路７の接地側電源入力端子に接続されるＳ２端子（第２の端子）２２と、室内機側通信回路９を介して室内機側電源制御回路７の接地側電源入力端子に接続されるＳ３端子（第３の端子）２３と、室内機側電源制御回路７の非接地側電源入力端子に接続されるＬ端子（第４の端子）２４と、Ｓ２端子２２に接続されるＮ端子（第５の端子）２５とを備えている。
【００１４】
Ｌ端子（第４の端子）２４およびＮ端子（第５の端子）２５は、実施の形態１にかかる空気調和機を室内機受電方式にて運用する際には、商用電源１２が接続され、室外機受電方式にて運用する際には、室外機２を介して商用電源１２が入力される１組の商用電源入力端子対を形成している。また、Ｓ１端子（第１の端子）２１およびＳ２端子（第２の端子）２２は、実施の形態１にかかる空気調和機を室内機受電方式にて運用する際に、Ｌ端子（第４の端子）２４およびＮ端子（第５の端子）２５に入力された商用電源１２を、リレー１１を介して室外機２に供給する１組の商用電源出力端子対を形成している。
【００１５】
室外機２は、室外機側制御基板４および室外機側端子台６を備え、室外機側制御基板４は、室外機側電源制御回路８および室外機側通信回路１０を備えている。
【００１６】
また、室外機側端子台６は、室外機側電源制御回路８の非接地側電源入力端子に接続されるＬ１端子（第６の端子）２６と、室外機側電源制御回路８の接地側電源入力端子に接続されるＮ１端子（第７の端子）２７と、室外機側通信回路１０を介して室外機側電源制御回路８の接地側電源入力端子に接続されるＳ３’端子（第８の端子）２８と、Ｌ１端子２６に接続されるＬ２端子（第９の端子）２９と、Ｎ１端子２７に接続されるＮ２端子（第１０の端子）３０とを備えている。
【００１７】
Ｌ１端子（第６の端子）２６およびＮ１端子（第７の端子）２７は、実施の形態１にかかる空気調和機を室内機受電方式にて運用する際には、室内機１を介して商用電源１２が入力され、室外機受電方式にて運用する際には、商用電源１２が接続される１組の商用電源入力端子対を形成している。また、Ｌ２端子（第９の端子）２９およびＮ２端子（第１０の端子）３０は、実施の形態１にかかる空気調和機を室外機受電方式にて運用する際に、Ｌ１端子（第６の端子）２６およびＮ１端子（第７の端子）２７に入力された商用電源１２を室内機１に供給する１組の商用電源出力端子対を形成している。
【００１８】
図１に示す例は、上述したように室内機受電方式の配線例を示しており、室内機１側のＬ端子２４とＮ端子２５との間に商用電源１２が接続され、室内機１側のＳ１端子２１と室外機２側のＬ１端子２６との間が電源線１３で接続され、室内機１側のＳ２端子２２と室外機２側のＮ１端子２７との間が電源通信共通線１４で接続され、室内機１側のＳ３端子２３と室外機２側のＳ３’端子２８との間が通信線１５で接続される。このように接続することにより、室内機側端子台５のＬ端子２４とＮ端子２５との間に供給された商用電源１２からの電力が室内機側電源制御回路７に供給され、室内機側電源制御回路７がリレー１１を閉じることで電源線１３、電源通信共通線１４を介して室外機側電源制御回路８にも電力が供給される。また、室外機側電源制御回路８は、室内機１と室外機２との間の通信用電源を生成しており、室外機側電源制御回路８にて生成された通信用電源は、室外機側通信回路１０を介して、室内機側通信回路９、室外機側通信回路１０、電源通信共通線１４、通信線１５により形成されたループ（以下、「通信ループ」という）に供給されることにより室内機側通信回路９と室外機側通信回路１０との間で通信が確立し、室内機受電方式による空気調和機の運転が可能となる。
【００１９】
図２に示す例は、上述したように室外機受電方式の配線例を示しており、室外機２側のＬ１端子２６とＮ１端子２７との間に商用電源１２が接続され、室内機１側のＬ端子２４と室外機２側のＬ２端子２９との間が電源線１３で接続され、室内機１側のＮ端子２５と室外機２側のＮ２端子３０との間が電源通信共通線１４で接続され、室内機１側のＳ３端子２３と室外機２側のＳ３’端子２８との間が通信線１５で接続される。このように接続することにより、室外機側端子台６のＬ１端子２６とＮ１端子２７との間に供給された商用電源１２からの電力が室外機側電源制御回路８に供給され、電源線１３、電源通信共通線１４を介して室内機側電源制御回路７にも電力が供給される。また、室外機側電源制御回路８は、室外機受電方式の場合と同様に、室内機１と室外機２との間の通信用電源を生成しており、室外機側電源制御回路８にて生成された通信用電源は、室外機側通信回路１０を介して、室内機側通信回路９、室外機側通信回路１０、電源通信共通線１４、通信線１５により形成された通信ループに供給されることにより室内機側通信回路９と室外機側通信回路１０との間で通信が確立し、室内機受電方式による空気調和機の運転が可能となる。
【００２０】
図３は、実施の形態１にかかる空気調和機の室内機側端子台のケーブル差込口正面視図である。図３に示すように、本実施の形態では、室内機側端子台５のケーブル差込口正面から見て左からＳ１端子２１、Ｓ２端子２２、Ｓ３端子２３、Ｎ端子２５、Ｌ端子２４の順番で配置している。このような順番で各端子２１〜２５を配置することにより、商用電源１２は、室内機側端子台５のケーブル差込口正面から見て右側の２端子に接続し、電源線１３、電源通信共通線１４、および通信線１５は、室内機側端子台５のケーブル差込口正面から見て左側の３端子に接続すればよい。さらに、各端子２１〜２３と各端子２４，２５とを離して配置する、あるいは、室内機側端子台５上の配色を色分けする等、各端子２１〜２３と各端子２４，２５とをより明確に区別するようにしてもよい。このように、各端子２１〜２３と各端子２４，２５とを明示的に区別して配置することにより、誤配線の発生を抑制することができる。
【００２１】
つぎに、実施の形態１にかかる空気調和機の室内機受電方式における室内機への受電開始時における制御処理フローについて、図１、図４を参照して説明する。図４は、実施の形態１にかかる空気調和機の室内機受電方式における室内機への受電開始時における制御処理フローの一例を示す図である。
【００２２】
上述したように、実施の形態１にかかる空気調和機の室内機受電方式における室内機側通信回路９と室外機側通信回路１０との間の通信は、室外機側電源制御回路８により生成された通信用電源が室内機側通信回路９、室外機側通信回路１０、電源通信共通線１４、通信線１５により形成された通信ループに供給されることによって確立する。室内機側端子台５のＬ端子２４とＮ端子２５を介して商用電源１２から交流電力が室内機１に給電が開始されると（ステップＳＴ１０１）、室内機側電源制御回路７は、室内機１への給電開始から所定時間（例えば３分）経過した後に、リレー１１を閉じ室外機２への給電を開始する（ステップＳＴ１０２）。
【００２３】
室外機２への給電が開始されると、室内機側電源制御回路７は通信待機状態となり（ステップＳＴ１０３）、室外機側通信回路１０は、室内機側通信回路９に対して通信を開始する。室内機側電源制御回路７は、室外機２への給電開始から所定時間（例えば３秒）経過するまでの間に室内機側通信回路９と室外機側通信回路１０との間の通信が確立したか否かを判定する（ステップＳＴ１０４）。
【００２４】
室外機２への給電開始から所定時間（ここでは３秒）経過するまでの間に室内機側通信回路９と室外機側通信回路１０との間の通信が確立した場合には（ステップＳＴ１０４；Ｙｅｓ）、室外機側電源制御回路８は、室外機２の運転を開始して（ステップＳＴ１０５）、本制御処理フローを終了する。
【００２５】
室外機２への給電開始から所定時間（ここでは３秒）経過するまでの間に室内機側通信回路９と室外機側通信回路１０との間の通信が確立しなかった場合には（ステップＳＴ１０４；Ｎｏ）、室内機側電源制御回路７は、通信異常が発生したものとして（ステップＳＴ１０６）、リレー１１を開放して室外機２への給電を停止し（ステップＳＴ１０７）、本制御処理フローを終了する。
【００２６】
つぎに、実施の形態１にかかる空気調和機の室内機受電方式における室内機１と室外機２との間の誤配線例について、図１、図４〜図９を参照して説明する。
【００２７】
図５は、実施の形態１にかかる空気調和機の室内機受電方式における室内機と室外機との間の誤配線例の第１例を示す図である。図６は、実施の形態１にかかる空気調和機の室内機受電方式における室内機と室外機との間の誤配線例の第２例を示す図である。また、図７は、実施の形態１にかかる空気調和機の室内機受電方式における室内機と室外機との間の誤配線例の第３例を示す図である。また、図８は、実施の形態１にかかる空気調和機の室内機受電方式における室内機と室外機との間の誤配線例の第４例を示す図である。また、図９は、実施の形態１にかかる空気調和機の室内機受電方式における室内機と室外機との間の誤配線例の第５例を示す図である。図５〜図９に示すように、本実施の形態にかかる空気調和機の室内機受電方式における室内機側端子台５と室外機側端子台６との間の誤配線パターンは５通りのパターンが存在する。
【００２８】
図５に示す例では、室外機側電源制御回路８の接地側電源入力端子と非接地側電源入力端子とが逆に接続されるものの、室外機２への給電は、図１に示す正常配線と同様に給電される。しかし、室内機側通信回路９と室外機側通信回路１０との間の通信ループが形成されないため、室内機側電源制御回路７がリレー１１を閉じ、室外機２へ給電を開始（図４のステップＳＴ１０２）しても通信が確立せず（図４のステップＳＴ１０４；Ｎｏ）通信異常となり（図４のステップＳＴ１０６）、室内機側電源制御回路７によりリレー１１が開放され室外機２への給電が停止される（図４のステップＳＴ１０７）。このように、図５に示す誤配線例では、空気調和機の設置時において接続作業者が室内機１への給電を開始しても、室外機２の運転が開始されず、空調運転ができないことにより、接続作業者に誤配線であることを認識させることができる。
【００２９】
図６〜図９に示す例では、何れも通信に必要な通信用電源を生成する室外機側電源制御回路８に室内機１を介して商用電源１２からの電力が正常に供給されず、通信が開始できないため、室内機側電源制御回路７がリレー１１を閉じ、室外機２へ給電を開始（図４のステップＳＴ１０２）しても通信が確立せず（図４のステップＳＴ１０４；Ｎｏ）、通信異常となり（図４のステップＳＴ１０６）室内機側電源制御回路７によりリレー１１が開放され室外機２への給電が停止される。このように、図６〜９に示す誤配線例においても、空気調和機の設置時において接続作業者が室内機１への給電を開始しても、室外機２の運転が開始されず、空調運転ができないことにより、接続作業者に誤配線であることを認識させることができる。
【００３０】
このように、本実施の形態にかかる空気調和機を室内機受電方式で運用する場合には、誤配線パターンでは空調運転が行われないことにより、接続作業者に誤配線であることを認識させることができる。
【００３１】
つぎに、実施の形態１にかかる空気調和機の室外機受電方式における室外機への受電開始時における制御処理フローについて、図２、図１０を参照して説明する。図１０は、実施の形態１にかかる空気調和機の室外機受電方式における室外機への受電開始時における制御処理フローの一例を示す図である。
【００３２】
上述したように、実施の形態１にかかる空気調和機の室外機受電方式における室内機側通信回路９と室外機側通信回路１０との間の通信は、室外機受電方式の場合と同様に、室外機側電源制御回路８により生成された通信用電源が室内機側通信回路９、室外機側通信回路１０、電源通信共通線１４、通信線１５により形成された通信ループに供給されることによって確立する。室外機側端子台６のＬ１端子２６とＮ１端子２７を介して商用電源１２から交流電力が室外機２に給電が開始されると同時に室内機１にも給電が開始され（ステップＳＴ２０１）、室外機側通信回路１０は、室内機側通信回路９に対して通信を開始する（ステップＳＴ２０２）。
【００３３】
室内機１への給電が開始されると、室内機側電源制御回路７は通信待機状態となり（ステップＳＴ２０３）、室内機１への給電開始から所定時間（例えば３秒）経過するまでの間に室内機側通信回路９と室外機側通信回路１０との間の通信が確立したか否かを判定する（ステップＳＴ２０４）。
【００３４】
室内機１への給電開始から所定時間（ここでは３秒）経過するまでの間に室内機側通信回路９と室外機側通信回路１０との間の通信が確立した場合には（ステップＳＴ２０４；Ｙｅｓ）、室外機側電源制御回路８は、室内機側電源制御回路７からの運転開始要求に応じて室外機２の運転を開始し（ステップＳＴ２０５）、本制御処理フローを終了する。
【００３５】
室内機１への給電開始から所定時間（ここでは３秒）経過するまでの間に室内機側通信回路９と室外機側通信回路１０との間の通信が確立しなかった場合には（ステップＳＴ２０４；Ｎｏ）、室外機側電源制御回路８は、通信異常が発生したものとして（ステップＳＴ２０６）、室内機側電源制御回路７からの運転開始要求を拒否する処理を行い（ステップＳＴ２０７）、本制御処理フローを終了する。
【００３６】
つぎに、実施の形態１にかかる空気調和機の室内機受電方式における室内機１と室外機２との間の誤配線例について、図２、図１０〜図１６を参照して説明する。
【００３７】
図１１は、実施の形態１にかかる空気調和機の室外機受電方式における室内機と室外機との間の誤配線例の第１例を示す図である。また、図１２は、実施の形態１にかかる空気調和機の室外機受電方式における室内機と室外機との間の誤配線例の第２例を示す図である。また、図１３は、実施の形態１にかかる空気調和機の室外機受電方式における室内機と室外機との間の誤配線例の第３例を示す図である。また、図１４は、実施の形態１にかかる空気調和機の室外機受電方式における室内機と室外機との間の誤配線例の第４例を示す図である。また、図１５は、実施の形態１にかかる空気調和機の室外機受電方式における室内機と室外機との間の誤配線例の第５例を示す図である。また、図１６は、実施の形態１にかかる空気調和機の室外機受電方式における室内機と室外機との間の誤配線例の第６例を示す図である。図１１〜図１６では、本実施の形態にかかる空気調和機の室外機受電方式において装置側で対応可能な室内機側端子台５と室外機側端子台６との間の複数種の誤配線パターンのうち、代表的な６通りのパターンを示している。なお、室外機側端子台６のＬ２端子２９と室内機側端子台５のＳ２端子２２とが誤配線される場合等、商用電源１２が短絡状態となる誤配線パターンでは、宅内配線等のブレーカーが落ちることとなるため、ここでは説明を省略する。
【００３８】
図１１に示す例では、室内機側電源制御回路７の接地側電源入力端子と非接地側電源入力端子とが逆に接続されるものの、室内機２への給電は、図２に示す正常配線と同様に給電される。また、図１２に示す例では、室内機側電源制御回路７への給電端子対は図２に示す正常配線と同一であり、室内機２への給電は正常に行われる。しかし、室内機側通信回路９と室外機側通信回路１０との間の通信ループが形成されないため、室外機側通信回路１０から室内機側通信回路９に対して通信を開始（図１０のステップＳＴ２０２）しても通信が確立せず（図１０のステップＳＴ２０４；Ｎｏ）通信異常となり（図１０のステップＳＴ２０６）室内機側電源制御回路７からの運転開始要求を拒否する処理を行う（ステップＳＴ２０７）。このように、図１１、図１２に示す誤配線例では、空気調和機の設置時において接続作業者が室外機２への給電を開始し、室内機１から運転開始要求を行っても室外機２の運転が開始されず、空調運転ができないことにより、接続作業者に誤配線であることを認識させることができる。
【００３９】
図１３〜図１６に示す例では、何れも商用電源１２よりも低い電圧が室内機側電源制御装置７に入力されるため、室内機１を制御するための電圧としては不十分となり、室内機１は動作しない。このように、図１３〜１６に示す誤配線例においては、空気調和機の設置時において接続作業者が室外機２への給電を開始しても、室内機１の運転が開始されず、空調運転ができないことにより、接続作業者に誤配線であることを認識させることができる。
【００４０】
このように、本実施の形態にかかる空気調和機を室外機受電方式で運用する場合にも、室内機受電方式で運用する場合と同様に、誤配線パターンでは空調運転が行われないことにより、接続作業者に誤配線であることを認識させることができる。
【００４１】
以上説明したように、実施の形態１の空気調和機によれば、室内機には、室内機受電方式にて運用する際には、商用電源が接続され、室外機受電方式にて運用する際には、室外機を介して商用電源が入力される１組の商用電源入力端子対を形成するＬ端子（第４の端子）およびＮ端子（第５の端子）と、室内機受電方式にて運用する際に、Ｌ端子（第４の端子）およびＮ端子（第５の端子）に入力された商用電源を、リレーを介して室外機に供給する１組の商用電源出力端子対を形成するＳ１端子（第１の端子）およびＳ２端子（第２の端子）とを具備し、室外機には、室内機受電方式にて運用する際には、室内機を介して商用電源が入力され、室外機受電方式にて運用する際には、商用電源が接続される１組の商用電源入力端子対を形成するＬ１端子（第６の端子）およびＮ１端子（第７の端子）と、室外機受電方式にて運用する際に、Ｌ１端子（第６の端子）およびＮ１端子（第７の端子）に入力された商用電源を室内機に供給する１組の商用電源出力端子対を形成するＬ２端子（第９の端子）およびＮ２端子（第１０の端子）を具備する構成としたので、室内機受電方式および室外機受電方式の双方に対応することができ、また、室内機受電方式においては、リレーを開放して室外機への給電を停止することにより待機電力の削減を実現することができる。
【００４２】
また、室外機と室内機との接続が正常である場合に、室内機と室外機との間で通信ループを形成する室内機側通信回路と室外機側通信回路と具備し、室内機側通信回路、室外機側通信回路、電源通信共通線、および通信線により通信ループが形成され、室内機側通信回路と室外機側通信回路との間で通信が確立することにより、室内機受電方式あるいは室外機受電方式による運転を行い、室内機受電方式にて運用する際には、室外機への商用電源の給電を開始してから所定時間内に通信ループが形成されず、室内機側通信回路と室外機側通信回路との間で通信が確立しなかった場合に、リレーを開放して室外機への商用電源の給電を停止し、前記室外機受電方式にて運用する際には、室内機への商用電源の給電を開始してから所定時間内に通信ループが形成されず、室内機側通信回路と室外機側通信回路との間で通信が確立しなかった場合に、室内機側電源制御回路からの運転開始要求を拒否する処理を行うようにしたので、室内機と室外機との間で誤配線が発生した場合には、空調運転ができないことにより、接続作業者に誤配線であることを認識させることができる。
【００４３】
また、室内機側端子台のケーブル差込口正面から見て左からＳ１端子（第１の端子）、Ｓ２端子（第２の端子）、Ｓ３端子（第３の端子）、Ｎ端子（第５の端子）、Ｌ端子（第４の端子）の順番で配置することにより、商用電源は、室内機側端子台のケーブル差込口正面から見て右側の２端子に接続し、電源線、電源通信共通線、および通信線は、室内機側端子台のケーブル差込口正面から見て左側の３端子に接続すればよく、さらに、Ｓ１端子（第１の端子）、Ｓ２端子（第２の端子）、Ｓ３端子（第３の端子）を含む端子群と、Ｎ端子（第５の端子）、Ｌ端子（第４の端子）を含む端子群とを離して配置する、あるいは、室内機側端子台上の配色を色分けする等、Ｓ１端子（第１の端子）、Ｓ２端子（第２の端子）、Ｓ３端子（第３の端子）を含む端子群とＮ端子（第５の端子）、Ｌ端子（第４の端子）を含む端子群とを明示的に区別して配置することにより、誤配線の発生を抑制することができる。
【００４４】
実施の形態２．
図１７は、実施の形態２にかかる空気調和機の室内機側の一構成例を示す図である。また、図１８は、実施の形態２にかかる空気調和機の室内機側端子台の一例を示す図である。なお、実施の形態１と同一または同等の構成部には同一符号を付して、その詳細な説明は省略する。
【００４５】
本実施の形態では、図１７に示すように、Ｓ２端子（第２の端子）２２と室内機側電源制御回路７の接地側電源入力端子との間に直列に温度ヒューズ１６を接続し、図１８に示すように、室内機側端子台５の発熱により溶断するように配置している。
【００４６】
室内機側端子台５が電源線の接続不良等により異常発熱した場合、室内機側端子台５に設置した温度ヒューズ１６が室内機側端子台５の発熱により溶断する。これにより、室内機受電方式、あるいは室外機受電方式のいずれで運用しているかに依らず、電源ループが切断されるため、室内機側端子台５が異常発熱した場合には、室内機１への商用電源１２の給電を停止することができる。
【００４７】
以上説明したように、実施の形態２の空気調和機によれば、室内機側端子台に、Ｓ２端子（第２の端子）と室内機側電源制御回路の接地側電源入力端子との間に直列接続された温度ヒューズを配置したので、室内機側端子台が電源線の接続不良等により異常発熱した場合には、温度ヒューズが溶断することにより、室内機受電方式、あるいは室外機受電方式のいずれで運用しているかに依らず、室内機への商用電源の給電を停止することができる。
【００４８】
なお、上述した実施の形態では、室外機１台に対して室内機が１台接続されるシングル接続構成である場合について説明したが、室外機１台に対して室内機が複数台接続されるマルチ接続構成であっても同様の効果を得ることができることは言うまでもない。
【００４９】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５０】
１  室内機、２  室外機、３  室内機側制御基板、４  室外機側制御基板、５  室内機側端子台、６  室外機側端子台、７  室内機側電源制御回路、８  室外機側電源制御回路、９  室内機側通信回路、１０  室外機側通信回路、１１  パワーリレー（リレー）、１２  商用電源、１３  電源線、１４  電源通信共通線、１５  通信線、１６  温度ヒューズ、２１  Ｓ１端子（第１の端子）、２２  Ｓ２端子（第２の端子）、２３  Ｓ３端子（第３の端子）、２４  Ｌ端子（第４の端子）、２５  Ｎ端子（第５の端子）、２６  Ｌ１端子（第６の端子）、２７  Ｎ１端子（第７の端子）、２８  Ｓ３’端子（第８の端子）、２９  Ｌ２端子（第９の端子）、３０  Ｎ２端子（第１０の端子）。
【図１】
2014122731.tif 000003
【図２】
2014122731.tif 000004
【図３】
2014122731.tif 000005
【図４】
2014122731.tif 000006
【図５】
2014122731.tif 000007
【図６】
2014122731.tif 000008
【図７】
2014122731.tif 000009
【図８】
2014122731.tif 000010
【図９】
2014122731.tif 000011
【図１０】
2014122731.tif 000012
【図１１】
2014122731.tif 000013
【図１２】
2014122731.tif 000014
【図１３】
2014122731.tif 000015
【図１４】
2014122731.tif 000016
【図１５】
2014122731.tif 000017
【図１６】
2014122731.tif 000018
【図１７】
2014122731.tif 000019
【図１８】
2014122731.tif 000020